(57)【要約】【課題】壁パネル内部への雨水等の浸入を抑制しつつ、建築現場における作業を減らして作業効率を高めることが可能な壁パネル及びパネルフレーム製造方法を提供することにある。【解決手段】外壁パネル１は、パネルフレーム１１を有する。パネルフレーム１１は、パネルフレーム１１の内側と外側とを貫通する貫通孔１３ｂが形成されたパネルフレーム本体１１ａと、貫通孔１３ｂの開放部をパネルフレーム本体１１ａの内側から覆うゴム蓋１４と、を備える。外壁パネル１は、パネルフレーム本体１１ａの孔部１１ｂの内縁に連続するように形成された雌ねじ部１３ａを有するナットを備える。ゴム蓋１４は、孔部１１ｂに挿入されたアイボルト２がパネルフレーム本体１１ａの内側に突出できるだけのスペースを形成するようにパネルフレーム本体１１ａに取り付けられている。【選択図】図３
2017166124.tif 000002
【特許請求の範囲】
【請求項１】
パネルフレームを有する壁パネルであって、
前記パネルフレームは、前記パネルフレームの内側と外側とを貫通する孔部が形成されたパネルフレーム本体と、前記孔部の開放部を前記パネルフレーム本体の内側から覆う蓋部材と、を備え、
前記壁パネルは、前記パネルフレーム本体の前記孔部の近傍に被係合部を備え、
前記蓋部材は、前記孔部に挿入されて前記被係合部に係合した状態にある吊り治具が前記パネルフレームの内側に突出できるだけのスペースを形成するように前記パネルフレーム本体に取り付けられていることを特徴とする壁パネル。
【請求項２】
前記蓋部材は、可撓性材料によって形成されていることを特徴とする請求項１に記載の壁パネル。
【請求項３】
前記被係合部は雌ねじ部であり、
前記蓋部材は、変形前の自然状態において、前記雌ねじ部を形成するねじ面を覆うように形成されていることを特徴とする請求項２に記載の壁パネル。
【請求項４】
前記パネルフレームは、前記パネルフレーム本体と、前記孔部の近傍において前記パネルフレーム本体に一体的に取り付けられており、前記吊り治具に係合される被係合部材と、前記蓋部材とによって構成されており、
前記蓋部材は、前記被係合部材とともに前記パネルフレーム本体にかしめ固定されていることを特徴とする請求項１乃至３のいずれか一項に記載の壁パネル。
【請求項５】
前記パネルフレーム本体と前記蓋部材とは、弾性部材によって連結されており、該弾性部材によって、互いに引き合う方向に付勢されていることを特徴とする請求項１に記載の壁パネル。
【請求項６】
前記パネルフレームの内側には、内側部材が配設されていることを特徴とする請求項１乃至５のいずれか一項に記載の壁パネル。
【請求項７】
壁パネルに用いられるパネルフレームを製造するパネルフレーム製造方法であって、
孔部を有するパネルフレーム本体と、前記孔部の近傍に形成されて吊り治具に係合される被係合部材と、前記孔部の開放部を前記パネルフレーム本体の内側から覆う蓋部材とを準備する準備工程と、
前記被係合部材と前記パネルフレーム本体との間に前記蓋部材を配置させた状態で、前記被係合部材を前記パネルフレーム本体にかしめて前記蓋部材と前記被係合部材を前記パネルフレーム本体に固定する被係合部材固定工程と、を備え、
該被係合部材固定工程において、前記蓋部材は、前記孔部に進入された前記吊り治具が前記パネルフレーム本体の内側に突出できるだけのスペースを形成するように前記パネルフレーム本体に取り付けられることを特徴とするパネルフレーム製造方法。
【発明の詳細な説明】
【技術分野】
【０００１】
本発明は、壁パネル及びパネルフレーム製造方法に係り、特に、内部に雨水等が浸入することを抑制可能な壁パネル及びパネルフレーム製造方法に関する。
【背景技術】
【０００２】
一般に、建築材料である外壁パネル等の重量のある壁パネルをトラック等の車両に運搬する際には、壁パネルにアイボルトを取り付け、アイボルトにワイヤーロープを掛けてクレーン等で吊り上げる方式が採用されている。
例えば、特許文献１には、外壁パネルへのアイボルトのネジ部の螺合ではない取り付け方によって、外壁パネルから外れることなく取付状態を安定させることが可能な吊り治具の発明が開示されている。
【０００３】
また、図９に、面材１０２と、パネルフレーム１０１とから構成される外壁パネル１００の上面の一部を示す。この外壁パネル１００の上面の一部には、図示せぬ吊り治具が取り付けられる吊り治具取付孔１０１ａが形成されている。外壁パネル１００を建築現場に搬送後、建方工事中及び建方工事後防水工事前においては、外壁パネル１００内に雨水等が吊り治具取付孔１０１ａを通って浸入し、外壁パネル１００内の断熱材を濡らすことがないように、吊り治具取付孔１０１ａは防水テープ１０１ｂによって封止されていた。
【先行技術文献】
【特許文献】
【０００４】
【特許文献１】特開２００７−２３８２１９号公報
【発明の概要】
【発明が解決しようとする課題】
【０００５】
上記のように、特許文献１に記載された吊り治具をパネルフレーム１０１から取り外した状態では、外壁パネル１００内に雨水等が浸入しないように防水テープ１０１ｂによって吊り治具取付孔１０１ａを封止する必要がある。
しかし、作業者は、防水テープ１０１ｂによる封止作業を不注意で忘れてしまうことがあった。また、防水テープ１０１ｂの貼付作業によって、建築の作業効率が低くなることがあった。
本発明は上記実情に鑑みてなされたものであり、その目的とするところは、壁パネル内部への雨水等の浸入を抑制しつつ、建築現場における作業を減らして作業効率を高めることが可能な壁パネル、及び当該壁パネルを構成するパネルフレームに係るパネルフレーム製造方法を提供することにある。
【課題を解決するための手段】
【０００６】
前記課題は、本発明に係る壁パネルによれば、パネルフレームを有する壁パネルであって、前記パネルフレームは、前記パネルフレームの内側と外側とを貫通する孔部が形成されたパネルフレーム本体と、前記孔部の開放部を前記パネルフレーム本体の内側から覆う蓋部材と、を備え、前記壁パネルは、前記パネルフレーム本体の前記孔部の近傍に被係合部を備え、前記蓋部材は、前記孔部に挿入されて前記被係合部に係合した状態にある吊り治具が前記パネルフレームの内側に突出できるだけのスペースを形成するように前記パネルフレーム本体に取り付けられていることにより解決される。
【０００７】
上記構成によれば、パネルフレーム本体の孔部の開放部を覆うように取り付けられた蓋部材によって、パネルフレームの内側への雨水等の浸入を防止でき、且つ、孔部への吊り治具の進入を阻害しないので、蓋部材で孔部の開放部を覆った状態で、孔部に吊り治具を挿入することができ、作業効率を高めることができる。
【０００８】
また、前記蓋部材は、可撓性材料によって形成されていてもよい。
上記構成によれば、蓋部材が可撓性材料であることで、蓋部材が孔部に挿入される吊り治具に当接したとしても蓋部材が撓むことで、吊り治具の進入を阻害しない。
【０００９】
さらに、前記被係合部は雌ねじ部であり、前記蓋部材は、変形前の自然状態において、前記雌ねじ部を形成するねじ面を覆うように形成されていると好ましい。
上記構成によれば、蓋部材が自然状態においてねじ面を覆っていることで、ねじ面に雨水等が溜まることによって錆が生じることを防止できる。
【００１０】
また、前記パネルフレームは、前記パネルフレーム本体と、前記孔部の近傍において前記パネルフレーム本体に一体的に取り付けられており、前記吊り治具に係合される被係合部材と、前記蓋部材とによって構成されており、前記蓋部材は、前記被係合部材とともに前記パネルフレーム本体にかしめ固定されていると好ましい。
上記構成によれば、蓋部材がナットとともにパネルフレーム本体にかしめ固定されていることで、パネルフレーム本体に蓋部材を容易に取り付けることができる。
【００１１】
また、前記パネルフレーム本体と前記蓋部材とは、弾性部材によって連結されており、該弾性部材によって、互いに引き合う方向に付勢されていてもよい。
上記構成によれば、パネルフレーム本体と蓋部材とが弾性部材によって互いに引き合う方向に付勢されていることで、孔部に吊り治具が通されて、吊り治具に当接することによって蓋部材がパネルフレーム本体から離れる方向に移動している状態から、吊り治具を孔部から抜き取れば、蓋部材に手を加えずに弾性部材の付勢力によって孔部を塞ぐことが可能となり、作業が容易となる。
【００１２】
さらに、前記パネルフレームの内側には、内側部材が配設されていてもよい。
上記構成によれば、孔部を蓋部材が覆っていることで、雨水等が内側部材に浸入することを防止することができる。
【００１３】
前記課題は、本発明に係るパネルフレーム製造方法によれば、壁パネルに用いられるパネルフレームを製造するパネルフレーム製造方法であって、孔部を有するパネルフレーム本体と、前記孔部の近傍に形成されて吊り治具に係合される被係合部材と、前記孔部の開放部を前記パネルフレーム本体の内側から覆う蓋部材とを準備する準備工程と、前記被係合部材と前記パネルフレーム本体との間に前記蓋部材を配置させた状態で、前記被係合部材を前記パネルフレーム本体にかしめて前記蓋部材と前記被係合部材を前記パネルフレーム本体に固定する被係合部材固定工程と、を備え、該被係合部材固定工程において、前記蓋部材は、前記孔部に進入された前記吊り治具が前記パネルフレーム本体の内側に突出できるだけのスペースを形成するように前記パネルフレーム本体に取り付けられることにより解決される。
上記構成によれば、孔部の開放部を覆う蓋部材によって、パネルフレームの内側への雨水等の浸入を防止でき、且つ、孔部への吊り治具の進入を阻害しないので、蓋部材で孔部の開放部を覆った状態で、孔部に吊り治具を挿入することができ、作業効率を高めることができる。そして、蓋部材が被係合部材とともにパネルフレームにかしめ固定されていることで、パネルフレームに蓋部材を容易に取り付けることができる。
【発明の効果】
【００１４】
本発明の壁パネルによれば、パネルフレームの内側への雨水等の浸入を防止でき、且つ、蓋部材で孔部の開放部を覆った状態で、孔部に吊り治具を挿入することができ、作業効率を高めることができる。
また、本発明の壁パネルによれば、ねじ面に雨水等が溜まることによって錆が生じることを防止できる。
また、本発明の壁パネルによれば、パネルフレーム本体に蓋部材を容易に取り付けることができる。
また、本発明の壁パネルによれば、蓋部材に手を加えずに弾性部材の付勢力によって孔部を塞ぐことが可能となり、作業が容易となる。
また、本発明の壁パネルによれば、雨水等が内側部材に浸入することを防止することができる。
また、本発明のパネルフレーム製造方法によれば、パネルフレームの内側への雨水等の浸入を防止でき、且つ、孔部に吊り治具を挿入する際に蓋部材を外す手間がかからない。そして、パネルフレームに、蓋部材を容易に取り付けることができ、蓋部材で孔部の開放部を覆った状態で、孔部に吊り治具を挿入することができ、作業効率を高めることができる。
【図面の簡単な説明】
【００１５】
【図１】ワイヤーロープによる壁パネルの搬送状態を示す模式的な斜視図である。
【図２】図１に示すＡ−Ａ断面における、アイボルトをナットに取り付ける前の状態を示す模式図である。
【図３】図１に示すＡ−Ａ断面における、ナットにねじ込まれてパネルフレームの内側に突出するアイボルトによってゴム蓋が変形している状態を示す模式図である。
【図４】ナットの上部まで回りこむようにして取り付けられた第１変形例に係るゴム蓋を示す模式図である。
【図５】ナットの雌ねじ部を覆うように取り付けられた第２変形例に係るゴム蓋を示す模式図である。
【図６】引張りばねと止水材とから構成される第３変形例に係るバネ蓋を示す模式図である。
【図７】ナットにねじ込まれてパネルフレームの内側に突出するアイボルトによってバネ蓋が変形している状態を示す模式図である。
【図８Ａ】第２実施形態に係るパネルフレーム製造方法を説明する図であり、下側治具上にパネルフレーム本体を載置し、パネルフレーム本体上にナット及びゴム蓋を載置し、さらにその上に上側治具を取り付けた状態を示す模式図である。
【図８Ｂ】図８Ａの状態から上側治具を下方に移動させた状態を示す模式図である。
【図８Ｃ】図８Ｂの状態から上側治具をパネルフレーム本体の一部が抜ける位置を越えて下方に移動させた状態を示す模式図である。
【図９】従来の外壁パネルの上面を示す図あり、吊り治具取付孔を封止する防水テープを示す斜視図である。
【発明を実施するための形態】
【００１６】
以下、本発明の実施形態に係る壁パネル及びパネルフレーム製造方法について説明する。本実施形態に係る壁パネル及びパネルフレーム製造方法は、内部に雨水等が浸入することを抑制可能とするものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１７】
＜＜第１実施形態＞＞
本発明の第１実施形態に係る壁パネルの一つである外壁パネル１について、図１を参照して全体構成を、図２及び図３を参照して吊り治具であるアイボルト２の近傍の構成を説明する。なお、図１は、ワイヤーロープ４０による外壁パネル１の搬送状態を示す模式的な斜視図である。また、図２は、図１に示すＡ−Ａ断面における、アイボルト２をナット１３に取り付ける前の状態を示す模式図、図３は、ナット１３にねじ込まれてパネルフレーム１１の内側に突出するアイボルト２によってゴム蓋１４が変形している状態を示す模式図である。
【００１８】
図１に示された外壁パネル１は、建物の外壁を構成するものであり、枠状に形成されたパネルフレーム１１と、パネルフレーム１１に取り付けられて外表面を形成する面材１２と、パネルフレーム１１の内側に設けられた内側部材としての断熱材３と、から構成されている。そして、外壁パネル１は、ワイヤーロープ４０を介して図示せぬクレーンによって吊り上げられて建築現場等に搬送される。
【００１９】
パネルフレーム１１は、外壁パネル１の内側側面の外周に沿って形成されており、図２に示すように、パネルフレーム本体１１ａとナット１３とから構成されている。
パネルフレーム本体１１ａの上面には、孔部１１ｂが形成されており、孔部１１ｂの内縁に連続する位置にねじ面としての雌ねじ部１３ａを有するナット１３が設けられている。
【００２０】
ナット１３は、アイボルト２に係合される被係合部材である。ナット１３は、後述するカシメ工程によって、パネルフレーム本体１１ａと一体的に形成されており、図３に示すように、中央に形成された孔部としての貫通孔１３ｂを有し、貫通孔１３ｂの内縁面に、アイボルト２を取り付けるための雌ねじ部１３ａを有する。雌ねじ部１３ａは、アイボルト２の雄ねじ部２ａと螺合（係合）する部分である。また、ナット１３の下面には、蓋部材及び可撓性材料としてのゴム蓋１４が取り付けられている。
ゴム蓋１４は、詳細については後述するが、雨水等がナット１３の貫通孔１３ｂを通ってパネルフレーム１１の内部にある断熱材３まで浸水することを防止する機能を有する。
断熱材３は、パネルフレーム１１の内側であって、面材１２の内側側面に沿うように配設されている。面材１２は、住宅の外観に現れる部材である。
外壁パネル１において、ワイヤーロープ４０が玉掛けされる部分であるアイボルト２は、パネルフレーム本体１１ａの孔部１１ｂに取り付けられたナット１３に締結されている。
【００２１】
（吊り込み部分について）
図２に示すように、ゴム蓋１４は、アイボルト２がナット１３の貫通孔１３ｂに通されていない状態、換言すると変形前の自然状態においては、平板状の形状を有する。ゴム蓋１４は、ナット１３に形成された貫通孔１３ｂの上下端にある開放部のうち、下側（パネルフレーム１１の内側）の開放部を覆うように、ナット１３に取り付けられている。
【００２２】
そして、アイボルト２は、ナット１３の雌ねじ部１３ａに締結された状態においては、ナット１３の下面よりも下方に突出している。このため、ゴム蓋１４は、アイボルト２に当接した状態で下方に押し込まれることとなり、アイボルト２に当接する部位が下方に弾性変形することとなる。換言すると、ゴム蓋１４は、弾性を有することにより、アイボルト２がナット１３に挿入可能とするためのスペースを形成するように変形する。
さらに、外壁パネル１の吊込み搬送を終えて、建方状態にしたときには、アイボルト２をナット１３から外すことになる。ゴム蓋１４は、アイボルト２をナット１３から外すと、その復元力によって元の平板状の形状に戻ることとなる。
つまり、ゴム蓋１４は、アイボルト２のナット１３への挿入前後において、ナット１３の孔を閉じた状態を維持しつつ、アイボルト２を挿入可能なスペースを形成するように必要な範囲で変形してコンパクトに収まることとなる。
【００２３】
＜第１変形例＞
次に、第１変形例に係る蓋部材及び可撓性材料としてのゴム蓋１５について図４を参照して説明する。なお、以下において、他の実施形態に示された構成と同じ構成のものについて同一の符号を付し、その説明を省略することで相違点を明確にする。
ゴム蓋１５は、図２に示すナット１３の下面にのみ取り付けられたゴム蓋１４と異なり、ナット１３の上面の中央部分（貫通孔１３ｂの上側開放部分）以外を包み込むように（ナット１３の上部まで回り込むように）、ナット１３に取り付けられている。このような構成のゴム蓋１５は、ゴム蓋１４よりもナット１３との取付強度が高められることとなる。このため、ゴム蓋１５は、アイボルト２がゴム蓋１５に当接し、さらにねじ込まれた（進入した）状態において、上記実施例のゴム蓋１４よりもナット１３から外れにくくなる。
なお、ゴム蓋１５は、ナット１３をパネルフレーム本体１１ａにかしめて取り付ける際に、これらの間に同時に取り付けるようにできるため、取り付けが容易である。このかしめによる取り付けについては第２実施形態において後述する。
【００２４】
＜第２変形例＞
また、図５に示された第２変形例に係る蓋部材及び可撓性材料としてのゴム蓋１６は、可撓性を有し、ゴム蓋１６の周縁部１６ａでナット１３の下面に取り付けられている。ゴム蓋１６は、中央部１６ｂが上方に突出するように断面略クランク状に形成されており、変形前の自然状態においてナット１３の雌ねじ部１３ａを覆っている。
このような構成のゴム蓋１６は、アイボルト２がナット１３に取り付けられていない状態（又はナット１３から取り外された状態）においては、雌ねじ部１３ａを覆うように中央部１６ｂが周縁部１６ａから突出して形成されている。このため、雨水等がナット１３の雌ねじ部１３ａに浸入することを防止することができ、雌ねじ部１３ａに錆が生じることを防止できる。
【００２５】
また、ゴム蓋１６は可撓性を有するため、アイボルト２がゴム蓋１６に当接し、さらにねじ込まれたときには、ゴム蓋１４，１５と同様に、図３に示すように変形することで、アイボルト２のナット１３への進入を阻害することがない。
【００２６】
なお、上記実施形態におけるゴム蓋１４，１５，１６においては、ナット１３の貫通孔１３ｂの開放部を塞ぎつつ、アイボルト２の挿入を可能とするものであり、アイボルト２に当接して押し込まれるものについて説明した。このような構成のゴム蓋１４，１５，１６であれば、アイボルト２をナット１３に挿し込む前、及びアイボルト２をナット１３から抜いたときに、その復元力によってコンパクトなサイズに収まることとなる。このため、ゴム蓋１４，１５，１６は、パネルフレーム１１の内側に断熱材３等の内側部材を配設する際の障害物とならず好適である。
しかしながら、このような構成に本願発明は限定されず、例えば、ナット１３の貫通孔１３ｂの開放部を塞ぐ蓋部材としては、アイボルト２のナット１３への挿入を許容するスペースを形成する大きさで自然状態において袋状に形成されているものでもよい。この場合には、蓋部材は、必ずしも可撓性を備えるものである必要はない。
【００２７】
＜第３変形例＞
また、図６及び図７に示された蓋部材としてのバネ蓋１７は、弾性部材としての引張りばね１７ａと、引張りばね１７ａの下端に取り付けられた円板状の蓋部１７ｂと、蓋部１７ｂの上面中央部に設けられ、引張りばね１７ａの内周側に配置された円柱状の止水材１７ｃと、から構成されている。
【００２８】
バネ蓋１７は、引張りばね１７ａの弾性作用を利用して、バネ蓋１７の蓋部１７ｂの位置を調整するものである。
引張りばね１７ａは、ナット１３の下面とバネ蓋１７とを連結しており、これらを引き合う方向に付勢するものである。引張りばね１７ａは、ナット１３と略一致する径で形成されており、例えばナット１３の外周面に形成された周方向に延在する溝に上端部が取り付けられて、ナット１３と接続されている。
【００２９】
蓋部１７ｂは、ナット１３の貫通孔１３ｂの径よりも若干大きく形成されており、引張りばね１７ａの下端部が取り付けられている。このように、蓋部１７ｂは、貫通孔１３ｂよりも大きな径で形成されていることにより、アイボルト２がナット１３から取り外された際に、引張りばね１７ａによる付勢によってナット１３の下方の開放部を塞ぐように変形することができる。
止水材１７ｃは、蓋部１７ｂの上面に取り付けられており、貫通孔１３ｂの径よりも若干小さな径で形成されており、本実施形態においては吸水性を有する少量のEPDM混合物からなるものである。
【００３０】
上記のように構成されたバネ蓋１７は、アイボルト２がバネ蓋１７の止水材１７ｃに当接し、さらにねじ込まれたときには、図７に示すように、引張りばね１７ａの付勢に抗して引張りばね１７ａを伸ばすように蓋部１７ｂ及び止水材１７ｃが下方に移動する。このようにバネ蓋１７が変形することで、アイボルト２のナット１３への進入を阻害することがない。
一方で、アイボルト２がナット１３から外されたときは、引張りばね１７ａの付勢によって、引張りばね１７ａがその圧縮方向に変形し、自動的に引張りばね１７ａ及び蓋部１７ｂがナット１３の貫通孔１３ｂにおける下側の開放部を塞ぐこととなる。
つまり、アイボルト２をナット１３から外したときに、テープ等によって貼り付ける作業が必要とならず、ナット１３の貫通孔１３ｂにおけるパネルフレーム１１の内側開放部を塞ぎ忘れることがなく、外壁パネル１内に設けられた断熱材３が雨水等に濡れることを防止することができる。
【００３１】
＜＜第２実施形態＞＞
次に、図８Ａ〜図８Ｃを参照して、第２実施形態に係るパネルフレーム製造方法について説明する。なお、本実施形態に係るパネルフレーム製造方法は、図４を参照して第１変形例において説明したゴム蓋１５を備えるパネルフレーム１１の製造方法に係るものである。
【００３２】
ここで、図８Ａは、第２実施形態に係るパネルフレーム製造方法を説明する図であり、下側治具２０上にパネルフレーム本体１１ａを載置し、パネルフレーム本体１１ａ上にナット１３及びゴム蓋１５を載置し、さらにその上に上側治具２１を取り付けた状態を示す模式図である。また、図８Ｂは、図８Ａの状態から上側治具２１を下方に移動させた状態を示す模式図、図８Ｃは、図８Ｂの状態から上側治具２１をパネルフレーム本体１１ａの一部が抜ける位置を越えて下方に移動させた状態を示す模式図である。
【００３３】
まず、準備工程として、下側治具２０と、パネルフレーム本体１１ａと、ナット１３及びゴム蓋１５と、上から押圧する上側治具２１と、を用意する。
下側治具２０は、中央部分において上下方向に貫通孔２０ａを有する山状に形成されている。下側治具２０の貫通孔２０ａの周縁は、上方に突出する突出部２０ｂが形成されている。貫通孔２０ａの径方向の大きさは、ナット１３における後述する小径部１３ｄの外径と同じか、若干大きく形成されている。
【００３４】
また、上側治具２１は、上下に延在する棒状の中央部２１ａと、中央部２１ａに対して径方向に間隔をおいて配置され、中央部２１ａの下端よりも下方まで延在して形成されている外側部２１ｂと、から構成されている。
外側部２１ｂは、中央側に突出して、ゴム蓋１５におけるナット１３の後述する大径部１３ｃの側面を覆う部位を支持する支持部２１ｃをその下端側に有する。
【００３５】
なお、ナット１３は、中心を通る軸を中心に大径部１３ｃと小径部１３ｄとから構成されており、これらは図８において上下に配置されている。図８において、上側にある大径部１３ｃの下面（小径部１３ｄ側の面）の周縁に沿う部分には、図８における下方に突出し周方向に連続する突条１３ｅが形成されている。この突条１３ｅは、後述するように、パネルフレーム本体１１ａにナット１３を取り付ける際に、パネルフレーム本体１１ａに当接支持することにより、パネルフレーム本体１１ａを局所的に変形させるものとして機能する。
そして、突条１３ｅの径方向内側には、図８における上方に窪んで周方向に連続する窪み部１３ｆが形成されている。この窪み部１３ｆは、局所的に変形したパネルフレーム本体１１ａを収容するものとして機能する。
【００３６】
また、下側治具２０においてナット１３の突条１３ｅに対向する部位を基準とした突出部２０ｂの上方への突出長さは、ナット１３において突条１３ｅを基準とした窪み部１３ｆの上方への窪み長さよりも若干長く形成されている。このように下側治具２０が形成されていることで、後述のように上側治具２１を下側治具２０側に押し下げることで、突出部２０ｂによってパネルフレーム本体１１ａにせん断力を付与して、パネルフレーム本体１１ａの中央部１１ｃを穿孔して孔部１１ｂを形成できることとなる。
【００３７】
また、上側治具２１における外側部２１ｂの下端側にある支持部２１ｃは、ナット１３の大径部１３ｃにおける径方向の長さに、大径部１３ｃを覆う部位におけるゴム蓋１５の厚み分の長さを加えたものに対して略一致するか若干小さい長さで間隔を空けて形成されている。このように上側治具２１が形成されていることで、後述のように上側治具２１を下側治具２０側に押し下げる際に、ナット１３が径方向にぐらつくことを防止することができ、パネルフレーム本体１１ａの目的の位置にナット１３を取り付けやすくなる。
【００３８】
そして、図８Ａに示すように、下側治具２０上にパネルフレーム１１を載置し、ナット１３及びゴム蓋１５をパネルフレーム１１上に載置し、ナット１３及びゴム蓋１５に上側治具２１を当接させる。
次に、図８Ｂに示すように上側治具２１をさらに下方に押し下げることで、突出部２０ｂから加わる荷重と突条１３ｅからゴム蓋１５を介して加わる荷重とによって、パネルフレーム本体１１ａを変形させる。
【００３９】
さらに、被係合部材固定工程として、図８Ｃに示す位置まで上側治具２１を押し下げる。この図８Ｃに示す位置は、突出部２０ｂと窪み部１３ｆとによってゴム蓋１５とパネルフレーム本体１１ａとを挟み込んで所定の反力が加わる位置であって、パネルフレーム本体１１ａの中央部１１ｃが抜ける位置である。この位置まで上側治具２１を押し上げることによって、パネルフレーム本体１１ａにおける突出部２０ｂに当接する部分が塑性変形することとなり、及び当該部分と窪み部１３ｆとの間にゴム蓋１５が挟持されることとなる。
このようにして、パネルフレーム本体１１ａと、ゴム蓋１５とナット１３とが一体的に取り付けられることとなる。そしてこのときに、パネルフレーム本体１１ａの中央部１１ｃが抜けて孔部１１ｂが形成されることで、パネルフレーム本体１１ａの一側に取り付けられたナット１３の雌ねじ部１３ａ（貫通孔１３ｂ）を、パネルフレーム本体１１ａにおけるナット１３が配置される側の逆側から開放できることとなる。
【００４０】
上記実施形態においては、ゴム蓋１４，１５，１６又はバネ蓋１７等の蓋部材が覆う対象は、アイボルト２が挿入されるナット１３に形成された貫通孔１３ｂ、換言すると吊り治具取付孔であるものとして説明したが、本願発明はこのような構成に限定されない。
また、例えば、外壁パネル１を吊り上げるための治具であれば、アイボルト２に限定されず、上記特開２００７-２３８２１９号公報に記載された雄ねじ部を有しない吊り治具であってもよい。この場合に、雌ねじ部１３ａを有するナット１３に限定されず、雌ねじ部１３ａを有しないものであっても、吊り治具に係合可能な構成の被係合部を有する被係合部材であればよい。
さらには、壁パネルにおいて、その内部に通じる孔が形成されている部分であれば、どの部分に蓋部材を取り付けるようにしてもよい。特に、吊り治具に限らず、ボルト等を含む係合部材が挿入される被係合孔が形成されている部分に蓋部材を設けることで、係合部材を挿入する前、挿入後に自動的に蓋部材が当該被係合孔を塞ぐことができるので好適である。
【００４１】
また、上記実施形態においては、ナットに形成された貫通孔のうちパネルフレームの内側にある開放部を蓋部材によって塞ぐ構成について説明したが、本発明はこのような構成に限定されない。例えば、ナットが取り付けられておらず、パネルフレーム本体に貫通孔（孔部）及び雌ネジ部が直接形成されるものに適用することもできる。
【００４２】
また、上記実施形態においては、外壁パネルについて例示したが、本発明は内部への浸水を防ぐ必要がある壁パネルであれば、外壁パネルに係るものに限定されない。例えば、外壁パネル以外に腰壁パネル、屋根パネルであってもよい。また、パネルフレームの内側に設けられている内側部材で、浸水を防止する必要がある部材としては、断熱材以外に制御装置や導線等が考えられる。
【００４３】
また、上記実施形態においては、弾性部材として引張りばねを例示したが、蓋部に引張り荷重を加えることができればよく、本発明はこのような構成に限定されない。例えば、ゴムや弾性を有する樹脂等を用いるようにしてもよい。
【符号の説明】
【００４４】
１  外壁パネル
２  アイボルト（吊り治具）
２ａ  雄ねじ部
３  断熱材（内側部材）
１１  パネルフレーム
１１ａ  パネルフレーム本体
１１ｂ  孔部
１１ｃ  中央部
１２  面材
１３  ナット（被係合部材）
１３ａ  雌ねじ部（ねじ面、被係合部）
１３ｂ  貫通孔（孔部）
１３ｃ  大径部
１３ｄ  小径部
１３ｅ  突条
１３ｆ  窪み部
１４，１５，１６  ゴム蓋（蓋部材、可撓性材料）
１６ａ  周縁部
１６ｂ  中央部
１７  バネ蓋（蓋部材）
１７ａ  引張りばね（弾性部材）
１７ｂ  蓋部
１７ｃ  止水材
２０  下側治具
２０ａ  貫通孔
２０ｂ  突出部
２１  上側治具
２１ａ  中央部
２１ｂ  外側部
２１ｃ  支持部
４０  ワイヤーロープ
１００  外壁パネル
１０１  パネルフレーム
１０１ａ  吊り治具取付孔
１０１ｂ  防水テープ
１０２  面材
【図１】
2017166124.tif 000003
【図２】
2017166124.tif 000004
【図３】
2017166124.tif 000005
【図４】
2017166124.tif 000006
【図５】
2017166124.tif 000007
【図６】
2017166124.tif 000008
【図７】
2017166124.tif 000009
【図８Ａ】
2017166124.tif 000010
【図８Ｂ】
2017166124.tif 000011
【図８Ｃ】
2017166124.tif 000012
【図９】
2017166124.tif 000013